(57)【要約】【課題】ＭＤなどのデッキが組み込まれる装置に何らかの原因により支障が発生した場合、制御部が行うデッキの信号出力の設定が正しく行われないといった不具合を回避し、デッキ再生時に音が出ないなどの不具合を回避する技術を提供することを課題とする。【解決手段】信号制御装置は、データをデジタル信号とアナログ信号の両方で出力し、電源投入時においてデジタル信号とアナログ信号が出力可能に設定される信号出力装置からの、出力されるデジタル信号の入力を受け付けるデジタル信号入力手段と、前記信号出力装置から出力されるアナログ信号の入力を受け付けるアナログ信号入力手段と、前記デジタル信号と前記アナログ信号とのうち、いずれの信号をオフ状態とするかを所定の判断基準に基づいて判断する信号判断手段と、前記信号判断手段による判断に基づき一方の信号をオフ状態に設定する信号設定手段と、を備える。【選択図】図１
2007234102.tif 000002
【特許請求の範囲】
【請求項１】
デジタル信号とアナログ信号が出力可能に設定される信号出力装置からの、出力されるデジタル信号の入力を受け付けるデジタル信号入力手段と、
前記信号出力装置から出力されるアナログ信号の入力を受け付けるアナログ信号入力手段と、
前記デジタル信号と前記アナログ信号とのうち、いずれの信号をオフ状態とするかを所定の判断基準に基づいて判断する信号判断手段と、
前記信号判断手段による判断に基づき一方の信号をオフ状態に設定する信号設定手段と、を備える信号制御装置。
【請求項２】
前記所定の判断基準は、前記信号出力装置の記憶手段に格納された優先順位情報又は履歴情報である、請求項１に記載の信号制御装置。
【請求項３】
前記信号判断手段による判断結果を記憶する判断結果記憶手段を更に備え、
前記所定の判断基準は、前記判断結果記憶手段に格納された優先順位情報又は履歴情報である、請求項１に記載の信号制御装置。
【請求項４】
いずれの信号をオフ状態とするかについて、ユーザの指示を受け付ける指示受付手段を更に備え、
前記所定の判断基準は、前記指示受付手段で受け付けたユーザの指示からなる、請求項１から請求項３のいずれかに記載の信号制御装置。
【請求項５】
オン状態となっている信号の状態を監視する信号監視手段と、
前記信号監視手段による監視の結果、オン状態となっている信号を変更する必要があると判断した場合には、オン状態となっている信号を変更する信号変更手段と、を更に備える、請求項１から請求項４のいずれかに記載の信号制御装置。
【請求項６】
データをデジタル信号として出力可能に設定されているデジタル信号出力手段と、データをアナログ信号として出力可能に設定されているアナログ信号出力手段と、を有する信号出力装置と、
前記デジタル信号出力手段から出力されるデジタル信号の入力を受け付けるデジタル信号入力手段と、前記アナログ信号出力手段から出力されるアナログ信号の入力を受け付けるアナログ信号入力手段と、前記デジタル信号と前記アナログ信号とのうち、いずれの信号をオフ状態とするかを所定の判断基準に基づいて判断する信号判断手段と、前記信号判断手段による判断に基づき一方の信号をオフ状態に設定する信号設定手段と、を有する信号制御装置と、を備える電子機器。
【発明の詳細な説明】
【技術分野】
【０００１】
本発明は、デジタル信号及びアナログ信号を制御する信号制御装置及びこの信号制御装置が組み込まれた電子機器に関する。
【背景技術】
【０００２】
ＭＤデッキやＣＤデッキ等が組み込まれることで様々なメディアに対応可能なオーディオシステムが数多く知られている。また、オーディオシステム同様ＭＤデッキやＣＤデッキ等が組み込まれることで様々なメディアに対応可能なナビゲーションシステムが知られている。そして、これらの装置に組み込まれるＭＤ等のデッキは、アナログ信号及びデジタル信号の両方の出力機能を備えるのが一般的である。また、オーディオシステム等のＭＤデッキ等が組み込まれる装置の入力形式も、アナログ信号入力、デジタル信号入力等、様々であり、ＭＤデッキ等の出力形式に対応可能となっている。例えば、アナログ信号及びデジタル信号の双方を入力できる記録再生装置に関する技術として以下のものが知られている。
【特許文献１】特開平１０−２１５０２号公報
【特許文献２】特開２０００−１８７９３２号公報
【発明の開示】
【発明が解決しようとする課題】
【０００３】
現在、アナログ信号及びデジタル信号は様々な装置において併用されている。そして、オーディオシステムやナビゲーションシステムに組み込まれるＭＤ等のデッキも、アナログ信号及びデジタル信号の両方の機能を備えるのが一般的である。ＭＤ等のデッキが組み込まれる装置、すなわちオーディオシステム等の制御部が、アナログ信号又はデジタル信号のどちらの機能を使用するかを選択し、選択した一方の機能のみ有効に設定した上で動作させている。
【０００４】
すなわち、従来の技術では、アナログ信号及びデジタル信号の両方の機能を備えるものの、どちらか一方の機能のみが有効に設定されていた。したがって、何らかの原因で装置に支障が発生した場合、ＭＤ等のデッキによりＭＤ等を再生しても再生時に音が出ないなどの問題を生ずる。より具体的には、ＭＤ等のデッキが組み込まれる装置の制御部からの命令が行われないといった支障が発生すると、選択された信号は出力されず、また選択されなかった信号はもともと出力可能な状態ではないため、音が再生されないといった問題を生じていた。
【０００５】
本発明では、上記した問題に鑑み、ＭＤなどのデッキが組み込まれる装置に何らかの原因により支障が発生した場合においても、デッキ再生時に音が出ないなどの不具合を回避できる技術を提供することを課題とする。
【課題を解決するための手段】
【０００６】
本発明では、上述した課題を解決するため以下の手段を採用した。すなわち、本発明に係る信号制御装置は、デジタル信号とアナログ信号が出力可能に設定される信号出力装置からの、出力されるデジタル信号の入力を受け付けるデジタル信号入力手段と、前記信号出力装置から出力されるアナログ信号の入力を受け付けるアナログ信号入力手段と、前記デジタル信号と前記アナログ信号とのうち、いずれの信号をオフ状態とするかを所定の判断基準に基づいて判断する信号判断手段と、前記信号判断手段による判断に基づき一方の信号をオフ状態に設定する信号設定手段と、を備える。
【０００７】
本発明に係る信号入力手段は、デジタル信号とアナログ信号の双方の信号を受け付ける。そして、信号設定手段は、信号判断手段による判断に基づき受け付けた信号のうちの一方の信号をオフ状態とする。すなわち、信号判断手段は、いずれの信号をオフ状態とするかを判断する。換言すると、信号判断手段は、どちらの信号を使用するかを選択する。また、信号設定手段は、オフ状態にすると判断しなかった信号、換言すると使用すると選択した信号の機能のみを有効に設定する。このように、本発明に係る信号制御装置によれば、デジタル信号とアナログ信号の両方の機能を備える装置から出力される信号を選択して使用することができる。
【０００８】
なお、上述したように本発明に関連する従来技術では、例えば制御部がデジタル信号とアナログ信号のどちらの機能を使用するかを選択し、選択した一方の機能のみを有効に設定していた。したがって、何らかの原因によりこのような制御が実行されないと、信号が流れないといった問題を生じていた。一方、本発明に係る信号制御装置は、電源投入時においてデジタル信号とアナログ信号の双方が出力可能な状態に設定される信号出力装置からの信号を入力手段で受け付ける。そして、信号設定手段は、信号判断手段の判断結果に基づいて一方の信号をオフ状態とする。ここで、仮に信号判断手段や信号設定手段が行う処理が何らかの原因により実行されなかった場合、信号設定手段は、一方の信号を選択するという本来の機能は果たせなくなる。しかし、このような場合でも、信号出力装置から出力されるデジタル信号及びアナログ信号は、出力可能に設定されている。したがって、信号が流れないといった不具合を回避することができる。その結果、例えば、本発明をオーディオ装置等に適用した場合に、再生しても全く音が出ないといった不具合を回避することができる。
【０００９】
デジタル信号入力手段は、信号出力装置から出力されるデジタル信号の入力を受け付ける。信号出力装置は、データをデジタル信号とアナログ信号の両方で出力し、電源投入時においてデジタル信号とアナログ信号が出力可能に設定されていることが好ましい。データとは、例えば、ＭＤ（Mini-Disk）やＣＤ（Compact Disk）等に格納された音響情報で
ある。電源投入時とは、信号出力装置自体の電源が投入された時点を意味する。出力可能とは、信号出力装置自体の電源が投入された時点で接続先の信号入力手段に信号が入力できる状態を意味する。すなわち、信号出力装置は、電源投入後、接続先の入力手段に対して信号を出力している状態となる。
【００１０】
信号判断手段は、前記デジタル信号と前記アナログ信号とのうち、いずれの信号をオフ状態とするかを所定の判断基準に基づいて判断する。そして、信号設定手段は、前記信号判断手段による判断に基づき一方の信号をオフ状態に設定する。信号をオフ状態にするとは、信号の流れを遮断することを意味する。信号をオン状態にするとは、信号が流れている状態にすることを意味する。なお、信号の流れの遮断は、例えばスイッチ等を用いて行うことができる。
【００１１】
所定の判断基準には、優先順位情報や履歴情報が例示できる。これらの情報は、信号制御装置内に設けた記憶手段に格納することができる。また、これらの情報は、信号出力装置内に設けられた記憶手段に格納することもできる。また、信号出力装置内に設けられた記憶手段は、不揮発性のメモリとすることができる。優先順位情報は、例えばデジタル信号とアナログ信号のどちらを優先的に用いるかについての情報である。履歴情報とは、例えば前回どちらの信号をオフ状態又はオン状態としたかについての情報である。また、所定の判断基準は、ユーザから受け付けた指示とすることもできる。これによりユーザの嗜好を反映させることができる。なお、所定の判断基準を複数併用することも可能である。この場合、どの判断基準を優先するかについての判断基準を予め設けることが好ましい。
【００１２】
また、本発明は、信号入力手段に入力される信号の状態を監視する信号監視手段を備え
る構成としてもよい。これにより、信号を監視することが可能となり、監視している信号に異常が検出された場合には、他方の信号に切り替えることができる。その結果、音が出ないといった不具合を回避することができる。信号の切替は、スイッチ等を用いて行うことができる。したがって、一方の信号をオフ状態にするためのスイッチ機能を信号制御装置に設けた場合、このスイッチ機能は、信号切り替え用としても用いることができる。
【００１３】
また、本発明は、データをデジタル信号として出力可能に設定されているデジタル信号出力手段と、データをアナログ信号として出力可能に設定されているアナログ信号出力手段と、を有する信号出力装置と、前記信号制御装置と、を備える電子機器である。
【００１４】
すなわち、本発明は信号制御装置と信号出力装置を備える電子機器である。信号出力装置が組み込まれている点で上述した信号制御装置と異なる。上述した信号制御装置は、信号設定手段により、一方の信号をオフ状態とすることができた。一方、本発明に係る電子機器も、信号制御装置と同じく、信号設定手段により、一方の信号をオフ状態とすることができる。但し、信号制御装置の場合、信号をオフ状態とする処理は、信号処理装置内でのみ行っていた。これに対し、電子機器の場合、信号をオフ状態とする処理は、信号出力装置内でも行うことができる。すなわち、信号設定手段は、デジタル信号出力手段及びアナログ信号出力手段の双方の出力手段を制御する。これにより、信号出力手段は、信号の出力状態を設定することが可能となる。その結果、信号設定手段は、信号出力装置内で一方の信号をオフ状態とすることができる。なお、本発明に係る電子機器は、オーディオシステムやナビゲーションシステムに適用することができる。
【００１５】
また、本発明は、上述したいずれかの機能を実現させる方法、又はプログラムであってもよい。また、本発明は、そのようなプログラムを記録した、コンピュータが読み取り可能な記憶媒体であってもよい。
【発明の効果】
【００１６】
本発明によれば、ＭＤなどのデッキが組み込まれる装置に何らかの原因により支障が発生した場合においても、デッキ再生時に音が出ないなどの不具合を防止することができる。
【発明を実施するための最良の形態】
【００１７】
次に、本発明に係る音響再生装置の実施形態について図面に基づいて説明する。
【実施例】
【００１８】
＜構成＞
図１は、第１の実施形態に係る信号制御装置４０を備えるオーディオシステム５０を示すブロック図である。なお、本実施形態においては、本発明に係る信号制御装置４０をオーディオシステム５０に適用した場合について説明する。なお、信号出力装置は、ＭＤ（Mini-Disk）デッキ６を例として説明する。但し、これに限定されるわけではない。本発
明に係る信号制御装置４０は、オーディオシステム５０の他、ナビゲーションシステム等にも適用可能である。また、オーディオシステム５０には、カーオーディオシステムも含まれる。また、信号出力装置には、ＭＤデッキの他、ＣＤ（Compact Disk）やＤＶＤ（Digital Versatile Disk）デッキ等が例示できる。すなわち、デジタル信号及びアナログ信号の双方を出力可能な装置であれば、様々な機器に適用することができる。
【００１９】
第１の実施形態に係る信号制御装置４０は、ＤＩＲ（Digital Audio Interface Receiver）１１と、ＤＡＣ（Digital to Analog Converter）１２と、アンプ（AMP）１３と、プリアンプ（Pre.AMP）１４と、システム制御マイコン（Microcomputer）２０と、デジタル信号とアナログ信号の入力を切り替える切替スイッチ１０と、により構成されている。な
お、符号９は、アースを示す。また、システムマイコン２０には、メモリ２１が内蔵されている。
【００２０】
ＤＡＣ１２は、デジタル信号をアナログ信号に変換する。アンプ１３は、ＤＡＣ１２又はプリアンプ１４から入力されるアナログ信号を増幅し、スピーカ１５に供給する。プリアンプ１４は、ＭＤデッキ６の信号処理ＬＳＩ１から出力されるアナログ信号の入力を受け付け、このアナログ信号のボリューム、バランス、トーンなどの調整を行う。
【００２１】
システム制御マイコン２０は、所定の判断基準に基づきデジタル信号とアナログ信号のうち、いずれの信号をオフ状態に設定するか判断する。その後、システム制御マイコン２０は、判断結果に基づいて一方の信号をオフ状態に設定する。具体的には、システム制御マイコン２０は、信号切替スイッチ１０を切り替える。これにより、一方の信号入力手段を入力オフ状態とすることができる。なお、信号切替スイッチ１０によりオフ状態となった信号は、ＭＤデッキ６内においてもオフ状態とすることが好ましい。したがって、ＭＤデッキ６内においても、信号出力スイッチを切り替えて、信号をオフ状態とすることが好ましい。システム制御マイコン２０がＭＤデッキ制御マイコン４に対して信号切替スイッチ１０によりオフ状態となった信号をオフ状態とするよう命令することで実現することができる。なお、本実施形態においては、信号切替スイッチ１０により、一方の信号をオフ状態とした。しかし、これに限定されるわけではない。ＤＩＲ１１やプリアンプ１４に信号を遮断する機能を持たせることとしてもよい。
【００２２】
また、第１の実施形態に係る信号制御装置４０は、ＤＩＲ１１を備える。ＤＩＲ１１は、ＭＤデッキ６の信号処理ＬＳＩ（Large Scale Integration circuit）１から出力され
るデジタル信号の入力を受け付け、デジタル信号の状態を監視する。ＤＩＲ１１によるデジタル信号の監視結果は、システム制御マイコン２０に送信される。システム制御マイコン２０は、監視結果に基づいてデジタル信号に異常がないかを判断する。デジタル信号に異常があれば、信号処理ＬＳＩ１から出力されるデジタル信号の入力の受け付けを拒否し、アナログ信号の入力を受け入れる。すなわち、システム制御マイコン２０は、切替スイッチ１０を切り替える。これにより、デジタル信号に異常が発生した場合でも、音が出ないといった不具合を防止することができる。
【００２３】
また、第１の実施形態に係るＭＤデッキ６は、ＭＤから読み出した音響データを信号処理する信号処理ＬＳＩ１と、信号処理ＬＳＩ１を制御するＭＤデッキ制御マイコン４と、により構成されている。信号処理ＬＳＩ１は、デジタル信号の出力のオン・オフを切り替えるデジタル信号出力スイッチ２と、アナログ信号の出力のオン・オフを切り替えるアナログ信号出力スイッチ３と、を備える。
【００２４】
ＭＤデッキ６は、電源投入時においてデジタル信号及びアナログ信号の双方を出力可能になるように設定されている必要がある。したがって、ＭＤデッキ６の製品出荷時において、デジタル信号及びアナログ信号の双方を出力可能な状態に設定しておく。すなわち、信号処理ＬＳＩ１内のデジタル信号出力スイッチ２及びアナログ信号出力スイッチ３を共に出力オン状態に設定する。これにより、ＭＤデッキ６の電源を投入時、デジタル信号及びアナログ信号の双方を出力可能に設定することができる。
【００２５】
ＭＤデッキ制御マイコン４は、信号処理ＬＳＩ１及びシステム制御マイコン２０に接続されている。したがって、ＭＤデッキ制御マイコン４は、システム制御マイコン２０の命令に基づき、信号処理ＬＳＩ１に対してデジタル信号出力スイッチ２又はアナログ信号出力スイッチ３のどちらを出力オフ状態とするかについての命令を出すことができる。その結果、信号処理ＬＳＩ１は、ＭＤデッキ制御マイコン４からの命令に基づき、いずれかの信号出力スイッチをオフ状態とすることができる。また、何らかの不具合によりシステム
制御マイコン２０からの命令がこない場合、ＭＤデッキ制御マイコン４は、不揮発性メモリ５に格納された情報に基づいてＭＤの再生処理を実行することができる。このような処理は、例えば以下のようにして行うことができる。例えばＭＤデッキ６の電源投入後に所定の時間システム制御マイコン２０からの命令がこない場合、ＭＤデッキ制御マイコン４は、システム制御マイコン２０に何らかの不具合が発生したと判断する。そして、不具合が発生したと判断したと場合、ＭＤデッキマイコン４は、不揮発性メモリ５に格納された情報に基づいてＭＤの再生処理を実行する。
【００２６】
ＭＤデッキ制御マイコン４は、その内部に不揮発性メモリ５を備える構成となっている。不揮発性メモリ５には、製品出荷時の状態として、デジタル信号出力スイッチ２及びアナログ信号出力スイッチ３を共に出力オン状態となる設定を記憶させることができる。これにより、例えば、電源投入時、システム制御マイコン２０は、ＭＤデッキ６を初期化することでデジタル信号及びアナログ信号の双方を出力可能とすることができる。また、不揮発性メモリ５には、どちらの信号を優先させるかについての優先順位に関する情報や、使用後の信号出力状態、すなわち履歴情報を記憶させることができる。これにより、電源を切った場合においても、ＭＤデッキ６は、例えば前回使用時の信号出力状態を記憶することができる。なお、不揮発性メモリ５には、ＲＯＭ（Read-Only Memory）が例示される。なお、これら優先順位に関する情報及び履歴情報は、本発明の所定の判断基準に相当するものである。また、所定の判断基準はこれらに限定されるわけではない。例えば、ユーザの指示であってもよい。この場合、ユーザの指示を受け付ける指示受付手段を設ける必要がある。
【００２７】
＜動作＞
次に、第１の実施形態に係る信号制御装置４０の動作について、オーディオシステム５０に基づいて説明する。
【００２８】
ＭＤデッキ６の電源が投入されると、信号処理ＬＳＩ１は、ＭＤより音響データの読み込みを開始する。そして、信号処理ＬＳＩ１は、デジタル信号処理及びアナログ信号処理を実行する。なお、ＭＤデッキ６は、デジタル信号及びアナログ信号の双方を出力可能に設定されている。したがって、信号処理ＬＳＩ１のデジタル信号出力スイッチ２及びアナログ信号出力スイッチ３は、電源投入時において共に出力オン状態となる。一方、システム制御マイコン２０は、ＭＤデッキ６の電源が投入されると、ＭＤデッキ６の信号制御を開始する。すなわち、ＭＤデッキ６の電源投入時にデジタル信号とアナログ信号の双方が出力可能となっているから、所定の判断基準に基づいて一方の信号をオフ状態とする制御を実行する。
【００２９】
ここで、システム制御マイコン２０が行う、デジタル信号とアナログ信号のうちどちらの信号をオフ状態とするかの基本制御について説明する。図２は、基本制御を示すフロー図である。なお、基本制御は、ＭＤデッキ６の電源投入時、すなわち、オーディオシステム５０の電源投入後、ＭＤデッキ６が選択されることで開始される。ステップＳ１０１では、システム制御マイコン２０は、ＭＤデッキ６の初期化設定を行う。具体的には、システム制御マイコン２０は、ステップＳ１０２、ステップＳ１０３を実行する。
【００３０】
ステップＳ１０２では、システム制御マイコン２０は、不揮発性メモリ５内に格納された情報を読み出し、これをシステム制御マイコン２０内のメモリ２１に保存する。例えば、不揮発性メモリ５には、製品出荷時の状態としてデジタル信号出力スイッチ２及びアナログ信号出力スイッチ３を共に出力オン状態とする情報が記憶されている。したがって、システムマイコン２０は、デジタル信号出力スイッチ２及びアナログ信号出力スイッチ３を共に出力オン状態とする情報を読み出し、この情報をメモリ２１に保存する。なお、不揮発性メモリ５に前回使用時の情報が記憶されている場合には、前回使用時の情報、すな
わち前回使用時にデジタル信号出力スイッチ２とアナログ信号出力スイッチ３のどちらの信号出力スイッチが出力オフ状態であったかを読み出し、これをメモリ２１に保存する。
【００３１】
ステップＳ１０３では、システム制御マイコン２０は、システム制御マイコン２０の信号出力の設定状態を信号処理ＬＳＩ１の信号出力状態に設定する。すなわち、例えば、デジタル信号出力スイッチ２及びアナログ信号出力スイッチ３を共に出力オン状態となっている場合には、この状態をシステムマイコン２０の信号出力の設定状態とする。これにより、初期化設定が終了し、ＭＤの再生が実行され、ＭＤ再生中の処理（ステップＳ１０４以降）の実行が開始される。
【００３２】
ＭＤ再生中の処理は、ステップＳ１０５からステップＳ１０８を実行することにより行われる。まず、ステップＳ１０５では、システム制御マイコン２０は、ＭＤデッキ制御マイコン４から送られてきた信号出力状態とシステム制御マイコン２０の信号出力設定状態とを比較する。すなわち、現在のデジタル信号出力スイッチ２及びアナログ信号出力スイッチ３の出力状態とシステム制御マイコン２０の信号出力設定状態とを比較する。
【００３３】
次に、ステップＳ１０６では、システム制御マイコン２０は、ＭＤデッキ制御マイコン４から送られてきた現在の信号出力状態とシステム制御マイコン２０の信号出力設定状態とに変化が見られるか否か判断する。システム制御マイコン２０は、変化が見られると判断した場合には、ステップＳ１０７に進む。一方、システム制御マイコン２０は、変化が見られると判断しなかった場合には、再度ステップＳ１０３の処理を実行する。
【００３４】
ステップＳ１０７では、システム制御マイコン２０は、ＭＤデッキ制御マイコン４から送られてきた現在の信号出力状態をメモリ２１に記憶させる。そして、ステップＳ１０８では、システム制御マイコン２０は、システム制御マイコン２０の信号出力設定状態を不揮発性メモリ５に記憶させる。その後、ステップＳ１０３へ戻り、電源が切れるまで上述した処理が繰り返し行われる。
【００３５】
以上の基本制御により、デジタル信号とアナログ信号のうちの一方の信号をオフ状態とすることができる。また、不揮発性メモリ５には、製品出荷時の状態としてデジタル信号とアナログ信号の双方が出力可能とする情報が格納されている。何らかの不具合により、システム制御マイコン２０による制御に支障が生じた場合には、ＭＤデッキ６に内蔵された不揮発性メモリ５に格納された情報に基づいてＭＤデッキ制御マイコン４が再生処理を実行することができる。すなわち、マイコン２０による信号制御が実行されない場合であっても、信号は出力されることになる。したがって、ＭＤデッキ６を再生しても音が出ないといった状態は回避することができる。
【００３６】
なお、第１の実施形態に係るオーディオシステム５０は、デジタル信号の状態を監視するＤＩＲ１１を備える。その結果、デジタル信号の状態を監視し、その結果に基づいて信号の切替を行うことができる。以下に、システム制御マイコン２０が行う、ＤＩＲ１１を用いた信号切替制御について説明する。なお、以下の説明においては、アナログ信号よりも高品位とされるデジタル信号を優先した場合の制御について説明する。また、この優先順位に関する情報は、例えば不揮発性メモリ５に予め格納しておくことが可能である。
【００３７】
図３は、システム制御マイコン２０が行う、ＤＩＲ１１を用いた信号切替制御のフロー図である。まず、ステップＳ１２１では、システム制御マイコン２０は、ＤＩＲ１１の初期設定を行う。具体的には、デジタル信号を優先した制御を実行するため、システム制御マイコン２０は、ＤＩＲ１１の機能を有効にするようＤＩＲ１１に命令を出す。次に、ステップＳ１２２では、システム制御マイコン２０は、プリアンプ１４の初期設定を行う。具体的には、デジタル信号を優先した制御を実行するため、システム制御マイコン２０は
、プリアンプ１４の機能を無効にするようプリアンプ１４に命令を出す。
【００３８】
ステップＳ１２３では、システム制御マイコン２０は、プリアンプ１４と通信可能か否かを判断する。通信可能か否かの判断は、ステップＳ１２１の処理が行われたか否かにより判断することができる。すなわち、システム制御マイコン２０は、ＤＩＲ１１から機能を有効に設定した旨の情報を取得することで通信可能と判断することができる。システム制御マイコン２０は、ＤＩＲ１１と通信可能と判断した場合には、ステップ１２４へ進む。一方、システム制御マイコン２０は、ＤＩＲ１１と通信可能と判断しなかった場合には、ステップＳ１２５へ進む。
【００３９】
ステップＳ１２４では、システム制御マイコン２０は、ＤＩＲ１１で受信した信号に基づいてデジタル信号に異常がないかを判断する。デジタル信号に異常がないかの判断は、システム制御マイコン２０が、ＤＩＲ１１より送信されてくるデジタル信号の情報に基づいて判断する。デジタル信号の情報には、デジタル信号が受信されているか否か、ノイズが必要以上に含まれていないか等の情報が含まれる。システム制御マイコン２０は、デジタル信号に異常がないと判断した場合には、ステップＳ１２３の処理を再度実行する。一方、システム制御マイコン２０は、デジタル信号に異常がないと判断しなかった場合には、ステップＳ１２５へ進む。
【００４０】
ステップＳ１２５では、システム制御マイコン２０は、プリアンプ１４の機能を有効に設定する。すなわち、システム制御マイコン２０は、プリアンプ１４に対して機能を有効にするよう命令を出す。そして、ステップＳ１２６では、システム制御マイコン２０は、ＤＩＲ１１の機能を無効に設定する。すなわち、システム制御マイコン２０は、ＤＩＲ１１に対してＤＩＲ１１の機能を無効にするよう命令を出す。
【００４１】
ステップＳ１２７では、システム制御マイコン２０は、ステップＳ１２３と同様の方法により、再度ＤＩＲ１１と通信可能か判断する。そして、システム制御マイコン２０は、ＤＩＲ１１と通信可能と判断しなかった場合には、ステップＳ１２７の処理を繰り返す。すなわち、システム制御マイコン２０は、ＤＩＲ１１と通信可能と判断するまでステップＳ１２７の処理を繰り返す。一方、システム制御マイコン２０は、ＤＩＲ１１と通信可能と判断した場合には、ステップＳ１２８へ進む。
【００４２】
ステップＳ１２８では、システム制御マイコン２０は、ステップＳ１２４と同様の方法により、デジタル信号に異常がないかを判断する。そして、システム制御マイコン２０は、デジタル信号に異常がないと判断しなかった場合、再度ステップＳ１２７の処理を実行する。一方、システム制御マイコン２０は、デジタル信号に異常がないと判断した場合には、ステップ１２９へ進む。
【００４３】
ステップＳ１２９では、システム制御マイコン２０は、ＤＩＲ１１の機能を有効に設定する。そして、ステップＳ１３０では、システム制御マイコン２０は、プリアンプ１４の機能を無効に設定する。その後、システム制御マイコン２０は、ステップＳ１２３の処理を再度実行する。
【００４４】
上述した基本制御及びＤＩＲ１１を用いた信号切替制御が行われた後、デジタル信号とアナログ信号のうちのいずれか一つは、アンプ１０へ送信される。送信された信号は、アンプ１０で増幅された後、スピーカ１５へ入力され、スピーカ１５より音となって出力される。
【００４５】
以上説明した、第１の実施形態に係る信号処理装置４０によれば、ＭＤデッキ６を制御するシステム制御マイコン２０に何らかの原因により支障が発生した場合においても、Ｍ
Ｄデッキ６の再生時に音が出ないなどの不具合を解消することができる。すなわち、ＭＤデッキ６は、製品出荷時においてデジタル信号及びアナログ信号の双方を出力可能に設定されている。また、この状態が不揮発性メモリ５に格納されている。不揮発性メモリ５は、ＭＤデッキ６に備えられているので、何らかの事情によりシステム制御マイコン２０による命令が実行されない場合であっても、音が出ないと言った不具合は回避することができる。また、ＤＩＲ１１を備えることで、デジタル信号の状態を監視することが可能となる。その結果、必要に応じて使用する信号回路を切り替えることができる。したがって、一方の出力信号に不具合が生じた場合でも他方の出力信号を使用することが可能とる。その結果、ＭＤデッキ６から音が出ないといった不具合を回避することができる。
【００４６】
＜適用例＞
次に、第１の実施形態に係る信号処理装置４０の適用例について説明する。図４は、信号処理装置４０をカーオーディオシステム５１に適用した例を示すブロック図である。また、図５は、信号処理装置４０をナビゲーションシステム５１に適用した例を示すブロック図である。なお、同一の構成要素については、同一の参照番号を付すことでその詳細な説明を省略する。
【００４７】
図４に示すように、第１の実施形態に係る信号処理装置４０は、車両１００に搭載されるカーオーディオシステム５１に適用可能である。カーオーディオシステム５１は、ＭＤデッキ６と、ＣＤデッキ３１と、を備える。ＣＤデッキ３１についても、上述したＭＤデッキ６と同様の機能を持たせることで信号制御装置４０により制御することが可能となる。すなわち、ＣＤデッキ３１は、信号処理ＬＳＩ１と、ＣＤデッキ制御マイコンにより構成することができる。そして、信号処理ＬＳＩ１は、デジタル信号出力切替スイッチ２とアナログ信号出力切替スイッチ３を備え、製品出荷時において双方の信号を出力可能に設定しておく。また、ＭＤデッキ制御マイコン内には、不揮発性メモリ５を備える構成とする（図１参照）。そして、ＭＤデッキ６又はＣＤデッキ３１が選択された時点で、システム制御マイコン２０により上述した基本制御及びＤＩＲ１１を用いた信号切替制御を実行する。その結果、ＭＤデッキ６やＣＤデッキ３１でＭＤやＣＤを再生した際に音が出ないといった不具合が防止することができる。
【００４８】
また、図５に示すように、第１の実施形態に係る信号処理装置４０は、車両１００に搭載されるナビゲーションシステム５２に適用可能である。ナビゲーションシステム５２は、ＭＤデッキ６と、ＣＤデッキ３１と、ＤＶＤデッキ３２と、ＨＤＤ（Hard Disk Drive
）３３と、を備える。この場合、ＤＶＤデッキ３２についても、上述したＭＤデッキ３１と同様の機能を持たせることで信号制御装置４０により制御することが可能となる。すなわち、ＤＶＤデッキ３２は、信号処理ＬＳＩ１と、ＤＶＤデッキ制御マイコンにより構成することができる。そして、信号処理ＬＳＩ１は、デジタル信号出力切替スイッチ２とアナログ信号出力切替スイッチ３を備え、製品出荷時において双方の信号を出力可能に設定しておく。また、ＤＶＤデッキ制御マイコン内には、不揮発性メモリ５を備える構成とする（図１参照）。そして、ＭＤデッキ６、ＣＤデッキ３１、ＤＶＤ３２のいずれかが選択された時点で、システム制御マイコン２０により上述した基本制御及びＤＩＲ１１を用いた信号切替制御を実行する。その結果、ＭＤデッキ６等でＭＤを再生した際に音が出ないといった不具合が防止することができる。
【００４９】
以上、本発明の好適な実施形態を説明したが、本発明に係る信号制御装置及び電子機器はこれらに限らず、可能な限りこれらの組合せを含むことができる。
【図面の簡単な説明】
【００５０】
【図１】信号制御装置４０を備えるオーディオシステム５０を示すブロック図である。
【図２】基本制御を示すフロー図である。
【図３】ＤＩＲ１１を用いた信号切替制御のフロー図である。
【図４】信号処理装置４０をカーオーディオシステム５１に適用した例を示すブロック図である。
【図５】信号処理装置４０をナビゲーションシステム５１に適用した例を示すブロック図である。
【符号の説明】
【００５１】
１・・・信号処理ＬＳＩ
２・・・デジタル信号出力スイッチ
３・・・アナログ信号出力スイッチ
４・・・ＭＤデッキ制御マイコン
５・・・不揮発性メモリ
６・・・ＭＤデッキ
９・・・アース
１０・・・信号切替スイッチ
１１・・・ＤＩＲ
１２・・・ＤＡＣ
１３・・・アンプ
１４・・・プリアンプ
１５・・・スピーカ
２０・・・システム制御マイコン
２１・・・メモリ
４０・・・信号制御装置
５０・・・オーディオシステム
１００・・・車両
【図１】
2007234102.tif 000003
【図２】
2007234102.tif 000004
【図３】
2007234102.tif 000005
【図４】
2007234102.tif 000006
【図５】
2007234102.tif 000007